【手続補正書】
【提出日】平成31年1月28日(2019.1.28)
【手続補正１】
【補正対象書類名】特許請求の範囲
【補正対象項目名】全文
【補正方法】変更
【補正の内容】
【特許請求の範囲】
【請求項１】
車両用空調装置において蒸発器を収納する空調ケース（８０）の外部に設けられて、蒸発器（８）を通過する冷媒が流通する配管（７１、７２）と接続される膨張弁装置であって、
前記冷媒を減圧する膨張弁本体（２）と、
前記膨張弁本体が収容されるケース部（３）と、
を備え、
前記ケース部は、
前記膨張弁本体が通過可能な開口部（４１０）が形成された、前記膨張弁本体を取り囲む全周にわたって一体に形成されている筒状部（４１）を有し、
前記筒状部は、
弾性を有する材料で形成され、前記筒状部の軸方向に延び、前記膨張弁本体の全周を取り囲んで弾性変形による反力で前記膨張弁本体を保持する弾性保持部（４１２）と、
前記弾性保持部よりも剛性の高い材料で形成され、少なくとも一部が前記ケース部の外側に露出した、前記弾性保持部を支持する支持部（４１１）と、
を有する膨張弁装置。
【請求項２】
前記支持部は、前記膨張弁本体の両側部において前記筒状部が延びる方向にそれぞれ延びる複数の側部フレーム（４１１ｂ）を有し、
複数の前記側部フレームは、前記弾性保持部と前記膨張弁本体との間に設けられている請求項１に記載の膨張弁装置。
【請求項３】
車両用空調装置において蒸発器を収納する空調ケース（８０）の外部に設けられて、蒸発器（８）を通過する冷媒が流通する配管（７１、７２）と接続される膨張弁装置であって、
前記冷媒を減圧する膨張弁本体（２）と、
前記膨張弁本体が収容されるケース部（３）と、
を備え、
前記ケース部は、
前記膨張弁本体が通過可能な開口部（４１０）が形成された、前記膨張弁本体を取り囲む全周にわたって一体に形成されている筒状部（４１）を有し、
前記筒状部は、
弾性を有する材料で形成され、前記膨張弁本体の全周を取り囲んで弾性変形による反力で前記膨張弁本体を保持する弾性保持部（４１２）と、
前記弾性保持部よりも剛性の高い材料で形成され、少なくとも一部が前記ケース部の外側に露出した、前記弾性保持部を支持する支持部（４１１）と、
を有し、
前記支持部は、前記膨張弁本体の両側部において前記筒状部が延びる方向にそれぞれ延びる複数の側部フレーム（４１１ｂ）を有し、
複数の前記側部フレームは、前記弾性保持部と前記膨張弁本体との間に設けられている膨張弁装置。
【請求項４】
前記支持部は、前記膨張弁本体の下面を覆うように前記筒状部が延びる方向に延びる下面フレーム（４１１ｃ）を有し、
前記下面フレームは、前記弾性保持部の内部に設けられている請求項１から請求項３のいずれか１項に記載の膨張弁装置。
【請求項５】
車両用空調装置において蒸発器を収納する空調ケース（８０）の外部に設けられて、蒸発器（８）を通過する冷媒が流通する配管（７１、７２）と接続される膨張弁装置であって、
前記冷媒を減圧する膨張弁本体（２）と、
前記膨張弁本体が収容されるケース部（３）と、
を備え、
前記ケース部は、
前記膨張弁本体が通過可能な開口部（４１０）が形成された、前記膨張弁本体を取り囲む全周にわたって一体に形成されている筒状部（４１）を有し、
前記筒状部は、
弾性を有する材料で形成され、前記膨張弁本体の全周を取り囲んで弾性変形による反力で前記膨張弁本体を保持する弾性保持部（４１２）と、
前記弾性保持部よりも剛性の高い材料で形成され、少なくとも一部が前記ケース部の外側に露出した、前記弾性保持部を支持する支持部（４１１）と、
を有し、
前記支持部は、前記膨張弁本体の下面を覆うように前記筒状部が延びる方向に延びる下面フレーム（４１１ｃ）を有し、
前記下面フレームは、前記弾性保持部の内部に設けられている膨張弁装置。
【請求項６】
前記ケース部は、前記空調ケースと密着するシール部（４２１）を備え、
前記シール部は、前記蒸発器における前記膨張弁本体との接続部分（８１）の全周を取り囲むように設けられている請求項１から請求項５のいずれか１項に記載の膨張弁装置。
【請求項７】
前記ケース部は、前記蒸発器における前記膨張弁本体との接続部分（８１）と密着する接続部分シール部（４２２）を有する請求項１から請求項５のいずれか１項に記載の膨張弁装置。
【請求項８】
前記ケース部は、
前記蒸発器へと流入する前記冷媒が流出する流出開口部（２２ａ）が形成された前記膨張弁本体における面である端面部（２６）と対向する対向壁部（４０４２、５０４２）と、
前記端面部の前記流出開口部を前記ケース部の外部に露出させるように前記対向壁部に形成された対向壁開口部（４４２０、５４２０）と、
前記対向壁部に設けられて前記端面部と接触して前記対向壁部と前記端面部との間をシールする端面シール部（４２３、５４２３）と、
を有する請求項１から請求項５のいずれか１項に記載の膨張弁装置。
【請求項９】
車両用空調装置において蒸発器を収納する空調ケース（８０）の外部に設けられて、蒸発器（８）を通過する冷媒が流通する配管（７１、７２）と接続される膨張弁装置であって、
前記冷媒を減圧する膨張弁本体（２）と、
前記膨張弁本体が収容されるケース部（３）と、
を備え、
前記ケース部は、
前記蒸発器へと流入する前記冷媒が流出する流出開口部（２２ａ）が形成された前記膨張弁本体における面である端面部（２６）と対向する対向壁部（４０４２、５０４２）と、
前記端面部の前記流出開口部を前記ケース部の外部に露出させるように前記対向壁部に形成された対向壁開口部（４４２０、５４２０）と、
前記対向壁部に設けられて前記端面部と接触して前記対向壁部と前記端面部との間をシールする端面シール部（４２３、５４２３）と、
前記膨張弁本体が通過可能な開口部（４１０）が形成された、前記膨張弁本体を取り囲む全周にわたって一体に形成されている筒状部（４１）と、
を有し、
前記筒状部は、
弾性を有する材料で形成され、前記膨張弁本体の全周を取り囲んで弾性変形による反力で前記膨張弁本体を保持する弾性保持部（４１２）と、
前記弾性保持部よりも剛性の高い材料で形成され、少なくとも一部が前記ケース部の外側に露出した、前記弾性保持部を支持する支持部（４１１）と、
を有する膨張弁装置。
【請求項１０】
前記端面シール部は、前記弾性保持部における前記膨張弁本体を挟んで向かい合う一対の壁部（４１２ａ）に連なって形成されている請求項８または請求項９に記載の膨張弁装置。
【請求項１１】
前記端面シール部は、前記端面部における前記流出開口部を取り囲むように前記対向壁部と前記端面部との間をシールする請求項８または請求項９に記載の膨張弁装置。
【請求項１２】
前記ケース部は、前記弾性保持部と前記支持部とによる二色成形品である請求項１から請求項１１のいずれか１項に記載の膨張弁装置。
【請求項１３】
前記膨張弁本体は、前記配管が接続される接続面（２５）を有し、
前記ケース部の前記開口部は、前記接続面側に形成されている請求項１から請求項１２のいずれか１項に記載の膨張弁装置。
【請求項１４】
前記ケース部は前記開口部を閉塞するカバー部（５）をさらに有する請求項１３に記載の膨張弁装置。
【請求項１５】
前記ケース部は、前記配管の外周面に密着する配管シール部（３５、３６）を有し、
前記配管シール部は、
前記外周面と密着する前記筒状部の端部（４３５、４３６）と、
前記外周面と密着し、前記筒状部の前記端部とともに前記配管を挟み込む前記カバー部の端部（５３５、５３６）と、
を有する請求項１４に記載の膨張弁装置。
【請求項１６】
前記支持部は樹脂材料で形成されており、
前記弾性保持部はゴム材料で形成されている請求項１から請求項１５のいずれか１項に記載の膨張弁装置。
【請求項１７】
前記膨張弁本体は、ダイアフラム部（２１）と、前記蒸発器に流入する前記冷媒が通過する流入通路（２２）および前記蒸発器から流出した前記冷媒が通過する流出通路（２３）が形成されたボディ部（２０）と、を有し、
前記弾性保持部は、少なくとも前記ダイアフラム部および前記ボディ部の前記流出通路を取り囲む部分を保持する請求項１から請求項１６のいずれか１項に記載の膨張弁装置。
【請求項１８】
車両用空調装置において蒸発器を収納する空調ケース（８０）の外部に設けられて、前記蒸発器および前記蒸発器に流入する冷媒が流通する配管（７１、７２）と接続される膨張弁装置であって、
前記冷媒を減圧する膨張弁本体（２）と、
前記膨張弁本体が収容されるケース部（３）と、
を備え、
前記ケース部は、
前記蒸発器へと流入する前記冷媒が流出する流出開口部（２２ａ）が形成された前記膨張弁本体における面である端面部（２６）と対向する対向壁部（６０４２、７０４２）と、
前記対向壁部に形成されて前記端面部の前記流出開口部を含む領域を前記ケース部の外部に露出させる対向壁開口部（６４２０、７４２０）と、
前記膨張弁本体が通過可能な開口部（４１０）が形成された、前記膨張弁本体を取り囲む全周にわたって一体である筒状部（４１）と、
前記蒸発器と接続されている部分において前記ケース部の内部と外部との間の空気の流通を阻止するシール部（６４２３、７４２３）と、
を有し、
前記シール部（６４２３、７４２３）は、
前記対向壁部に設けられて前記端面部と接触して前記対向壁部と前記端面部との間をシールする端面シール部であって、
前記筒状部は、
弾性を有する材料で形成され、弾性変形による反力で前記膨張弁本体を保持する弾性保持部（３４１２、６４１２、７４１２）と、
前記弾性保持部よりも剛性の高い材料で前記膨張弁本体の全周を取り囲んで形成され、
前記弾性保持部を支持し、少なくとも一部が前記ケース部の外側に露出した支持部（３４１１）と、
を有する膨張弁装置。
【請求項１９】
前記端面シール部（６４２３）は、前記弾性保持部における前記膨張弁本体を挟んで向かい合う一対の壁部（６４１２ａ）に連なって形成されている請求項１８に記載の膨張弁装置。
【請求項２０】
前記端面シール部（７４２３）は、前記端面部において前記流出開口部を取り囲むように形成されている請求項１８に記載の膨張弁装置。
【手続補正２】
【補正対象書類名】明細書
【補正対象項目名】０００７
【補正方法】変更
【補正の内容】
【０００７】
開示された膨張弁装置のひとつは、車両用空調装置において蒸発器を収納する空調ケース（８０）の外部に設けられて、蒸発器（８）に流入する冷媒が流通する配管（７１、７２）と接続される膨張弁装置であって、冷媒を減圧する膨張弁本体（２）と、膨張弁本体が収容されるケース部（３）と、を備え、ケース部は、膨張弁本体が通過可能な開口部（４１０）が形成された、膨張弁本体を取り囲む全周にわたって一体に形成されている筒状部（４１）を有し、筒状部は、弾性を有する材料で形成され、筒状部の軸方向に延び、膨張弁本体の全周を取り囲んで弾性変形による反力で膨張弁本体を保持する弾性保持部（４１２）と、弾性保持部よりも剛性の高い材料で形成され、少なくとも一部がケース部の外側に露出した、弾性保持部を支持する支持部（４１１）と、を有する。
また、開示された膨張弁装置のひとつは、車両用空調装置において蒸発器を収納する空調ケース（８０）の外部に設けられて、蒸発器（８）を通過する冷媒が流通する配管（７１、７２）と接続される膨張弁装置であって、冷媒を減圧する膨張弁本体（２）と、膨張弁本体が収容されるケース部（３）と、を備え、ケース部は、膨張弁本体が通過可能な開口部（４１０）が形成された、膨張弁本体を取り囲む全周にわたって一体に形成されている筒状部（４１）を有し、筒状部は、弾性を有する材料で形成され、膨張弁本体の全周を取り囲んで弾性変形による反力で膨張弁本体を保持する弾性保持部（４１２）と、弾性保持部よりも剛性の高い材料で形成され、少なくとも一部がケース部の外側に露出した、弾性保持部を支持する支持部（４１１）と、を有し、支持部は、膨張弁本体の両側部において筒状部が延びる方向にそれぞれ延びる複数の側部フレーム（４１１ｂ）を有し、複数の側部フレームは、弾性保持部と膨張弁本体との間に設けられている。
また、開示された膨張弁装置のひとつは、車両用空調装置において蒸発器を収納する空調ケース（８０）の外部に設けられて、蒸発器（８）を通過する冷媒が流通する配管（７１、７２）と接続される膨張弁装置であって、冷媒を減圧する膨張弁本体（２）と、膨張弁本体が収容されるケース部（３）と、を備え、ケース部は、膨張弁本体が通過可能な開口部（４１０）が形成された、膨張弁本体を取り囲む全周にわたって一体に形成されている筒状部（４１）を有し、筒状部は、弾性を有する材料で形成され、膨張弁本体の全周を取り囲んで弾性変形による反力で膨張弁本体を保持する弾性保持部（４１２）と、弾性保持部よりも剛性の高い材料で形成され、少なくとも一部がケース部の外側に露出した、弾性保持部を支持する支持部（４１１）と、を有し、支持部は、膨張弁本体の下面を覆うように筒状部が延びる方向に延びる下面フレーム（４１１ｃ）を有し、下面フレームは、弾性保持部の内部に設けられている。
また、開示された膨張弁装置のひとつは、車両用空調装置において蒸発器を収納する空調ケース（８０）の外部に設けられて、蒸発器（８）を通過する冷媒が流通する配管（７１、７２）と接続される膨張弁装置であって、冷媒を減圧する膨張弁本体（２）と、膨張弁本体が収容されるケース部（３）と、を備え、ケース部は、蒸発器へと流入する冷媒が流出する流出開口部（２２ａ）が形成された膨張弁本体における面である端面部（２６）と対向する対向壁部（４０４２、５０４２）と、端面部の流出開口部をケース部の外部に露出させるように対向壁部に形成された対向壁開口部（４４２０、５４２０）と、対向壁部に設けられて端面部と接触して対向壁部と端面部との間をシールする端面シール部（４２３、５４２３）と、膨張弁本体が通過可能な開口部（４１０）が形成された、膨張弁本体を取り囲む全周にわたって一体に形成されている筒状部（４１）と、を有し、筒状部は、弾性を有する材料で形成され、膨張弁本体の全周を取り囲んで弾性変形による反力で膨張弁本体を保持する弾性保持部（４１２）と、弾性保持部よりも剛性の高い材料で形成され、少なくとも一部がケース部の外側に露出した、弾性保持部を支持する支持部（４１１）と、を有する。
【手続補正３】
【補正対象書類名】明細書
【補正対象項目名】０００９
【補正方法】変更
【補正の内容】
【０００９】
開示された膨張弁装置のひとつは、車両用空調装置において蒸発器を収納する空調ケース（８０）の外部に設けられて、蒸発器および蒸発器に流入する冷媒が流通する配管（７１、７２）と接続される膨張弁装置であって、冷媒を減圧する膨張弁本体（２）と、膨張弁本体が収容されるケース部（３）と、を備え、ケース部は、蒸発器へと流入する冷媒が流出する流出開口部（２２ａ）が形成された膨張弁本体における面である端面部（２６）と対向する対向壁部（６０４２、７０４２）と、対向壁部に形成されて端面部の流出開口部を含む領域をケース部の外部に露出させる対向壁開口部（６４２０、７４２０）と、膨張弁本体が通過可能な開口部（４１０）が形成された、膨張弁本体を取り囲む全周にわたって一体である筒状部（４１）と、蒸発器と接続されている部分においてケース部の内部と外部との間の空気の流通を阻止するシール部（６４２３、７４２３）と、を有し、シール部（６４２３、７４２３）は、対向壁部に設けられて端面部と接触して対向壁部と端面部との間をシールする端面シール部であって、筒状部は、弾性を有する材料で形成され、弾性変形による反力で膨張弁本体を保持する弾性保持部（４１２）と、弾性保持部よりも剛性の高い材料で膨張弁本体の全周を取り囲んで形成され、弾性保持部を支持し、少なくとも一部がケース部の外側に露出した支持部（４１１）と、を有する。